(57)【要約】本発明は、筐体（２）と、ひげそり器ヘッド部（３）とを有するひげそり器（１）に係る。ひげそり器ヘッド部（３）は、各々が夫々の回転軸（Ｒ）の周囲に回転可能である複数の回転カッターユニット（４）を有するブラケット（６）を有する。ひげそり器ヘッド部（３）は更に、ヒンジ（５）を有する。該ヒンジは、使用時にブラケット（６）が筐体（２）に対して、ピボット軸（Ｃ）の周囲で、自由にピボットし得るよう位置付けられる。ピボット軸は、カッターユニット（４）の回転軸（Ｒ）に対して実質的に垂直に延在する。
2008521472.tif 000002
【特許請求の範囲】
【請求項１】
筐体と、ひげそり器ヘッド部とを有するひげそり器であって、
前記ひげそり器ヘッド部は、各々が夫々の回転軸の周囲に回転可能である複数の回転カッターユニットを有するブラケットと、前記ブラケットの動作状態において用いられるヒンジと、を有し、
前記ブラケットは、前記回転軸に対して実質的に垂直に延在するピボット軸の周囲において、前記筐体に対してピボットし得る、
ひげそり器。
【請求項２】
前記ひげそり器ヘッド部は、前記ブラケットのピボット動作を減衰するよう減衰手段を有する、
請求項１記載のひげそり器。
【請求項３】
前記ひげそり器ヘッド部は、前記ブラケットを望ましい中立位置へとバイアスするようバイアス手段を有する、
請求項１又は２記載のひげそり器。
【請求項４】
前記回転カッターユニットのうち少なくとも複数は、少なくとも１自由度を有して前記ブラケットにおいてサスペンドされる、
請求項１乃至３のうちいずれか一項記載のひげそり器。
【請求項５】
前記ひげそり器ヘッド部、又は少なくとも前記ブラケットは、前記筐体に対して着脱可能に接続される、
請求項１乃至４のうちいずれか一項記載のひげそり器。
【請求項６】
前記ひげそり器ヘッド部は、前記ブラケットと前記筐体との間に位置決めされる、担体板を有し、
前記ブラケットはヒンジを介して前記担体板に対してピボット式に接続され、前記担体板は、第２のヒンジを介して前記筐体に対して着脱可能に接続される、
請求項５記載のひげそり器。
【請求項７】
前記ひげそり器ヘッド部は、前記ブラケットと前記筐体との間に位置決めされる、担体板を有し、
前記担体板は、ヒンジを介して前記筐体に対してピボット式に接続され、前記ブラケットは、第２のヒンジを介して前記担体板に対して着脱可能に接続される、
請求項５記載のひげそり器。
【請求項８】
前記ピボット軸は、使用中の前記ひげそり器ヘッド部がユーザの皮膚に沿って動かされる主要なひげそり方向に対して、実質的に垂直に延在する、
請求項１乃至７のうちいずれか一項記載のひげそり器。
【請求項９】
前記ひげそり器ヘッド部は、望ましくは正三角形である三角形の頂点において配置される、３つの回転カッターユニットを有し、
前記ピボット軸は、前記三角形の辺の１つに対して実質的に平行に延在する、
請求項１乃至８のうちいずれか一項記載のひげそり器。
【請求項１０】
各回転カッターユニットを駆動するモータは、前記筐体における静止位置において取り付けられる、
請求項１乃至９のうちいずれか一項記載のひげそり器。
【請求項１１】
ロッキング手段は、使用中に、前記筐体に対して所望の斜めの位置へと前記ひげそり器ヘッド部、少なくとも前記ブラケットをラッチするよう、与えられる、
請求項１乃至１０のうちいずれか一項記載のひげそり器。
【発明の詳細な説明】
【技術分野】
【０００１】
本発明は、筐体及びひげそり器ヘッド部を有するひげそり器、より特には電気ひげそり器に係る。該ひげそり器ヘッド部は、各々が夫々の回転軸の周囲に回転可能である複数の回転カッターユニットを備えられるブラケットを有する。
【背景技術】
【０００２】
かかるひげそり器は、周知である。使用時に、回転カッターユニットの上方表面は、ユーザの皮膚と接触される。最適な接触に対して、カッターユニットのうち少なくとも複数は、１又はそれより大きい自由度を有してブラケットにおいて調節可能に取付けられ得る。これによって、個々のカッターユニットは、その向きをユーザの皮膚の外形に対して適合させ得るため、ユニットは皮膚と密接に接触したままになり得、したがって密接したひげ剃りが可能となる。残念ながら、このユニットの調節機能は、局所的な比較的小さな規模での調整を可能にするのみである。より大きな外形の変動に追随する（ｆｏｌｌｏｗ）よう、ユーザは、手でひげそり器ヘッド部の向きを適合させる必要がある。これは、特定の調整、敏捷性、及び柔軟性を求めるが、全てのユーザがそれらを有しているわけではない。更には、所望される操作は、身体的に、特にはユーザの手首に対して、負担をかけ得る。
【０００３】
ひげそり器ヘッド部をピボット点上において中心に支持することは、ＥＰ７２１８２６（特許文献１）において、既に提案されている。これによって、ひげそり器ヘッド部は、比較的大きな外形の変動に対して調整するよう、前出のピボット点の周囲の全ての方向において旋回され得る。しかしながら、かかる旋回構造を有すると、例えばほおひげ、あごひげ、やぎひげ、又は口ひげに沿ってひげを剃る際に所望される所定の線又は外形に沿って正確にひげを剃ることは、多少困難である。
【特許文献１】ＥＰ７２１８２６
【発明の開示】
【発明が解決しようとする課題】
【０００４】
したがって本発明は、改善された外形追随性能（ｃｏｎｔｏｕｒ  ｆｏｌｌｏｗｉｎｇ  ｐｅｒｆｏｒｍａｎｃｅ）を有するひげそり器を与える、ことを目的とする。当該ひげそり器は、ユーザのひげそり技術に（少なくとも大幅には）依存せず、比較的大きな外形変動に追随すること、並びに、所定の線に沿って正確にひげそり動作を行うことのいずれに対しても適切である。そのため、本発明に従ったひげそり器のひげそり器ヘッド部は、ヒンジを備えられる。該ヒンジは、動作状態においてカッターユニットを有するブラケットが、回転ユニットの回転軸に対して実質的に垂直に延在する単一のピボット軸の周囲において、筐体に対してピボットし得るよう、位置付けられる。
【課題を解決するための手段】
【０００５】
かかるピボット軸により、ひげそり器ヘッド部は、ユーザが腕又は手首を苦しい位置にねじる必要なく、比較的大きな外形の変動を容易に追随し得る。ユーザは、一定の圧力をひげそり器ヘッド部上に加えることで十分であり得、したがって、ひげそり器ヘッド部又はブラケットは、ピボット軸の周囲に回転するようにされ、剃られるべき皮膚と接触したままにされる。
【０００６】
望ましくはピボット軸は、夫々のカッターユニットの上部表面によって形成される通り、ひげそり表面の下方に近接して位置決めされる。かかる位置は、優れた直接的フィードバックをユーザに与え、皮膚外形を密接して追随するよう支援する。
【０００７】
更なる詳細において、ひげそり器ヘッド部は、バイアス手段を備えられ得る。該バイアス手段は、ピボット軸の周囲において、筐体に対して望ましい静止位置へとブラケットをピボットするよう設計される。バイアス手段は、例えば、筐体とひげそり器ヘッド部のピボット部分との間の有益な位置において位置決めされる、天然又は合成ゴムを有して作られるバネ又は構成部品である、一連の弾性要素を有し得る。かかる弾性要素は、異なる剛性を備えられ得るか、及び／又は、ピボット軸に対して非対称的に位置付けられ得、特定の望ましい位置に向かってブラケットを促すようにする。
【０００８】
ひげそり器ヘッド部は更に、減衰手段を備えられる。該減衰手段は、ブラケットのピボット動作を減衰し、その突然の運動を防ぐよう設計され、従って潤滑で快適な定まった正確なひげそり性能を与える。当然のことながら、減衰手段及びバイアス手段は、単一の構成部品において組み合わされ得る。
【０００９】
非常に望ましい一実施例では、回転カッターユニットのうち少なくとも複数は、該ブラケットの平面に対して少なくとも部分的に押圧可能（ｄｅｐｒｅｓｓｉｂｌｅ）及び／又は回転可能であるよう、少なくとも１自由度を有してブラケットにおいてサスペンドされ得る。かかる一実施例により、全てのカッターユニットの向きは、ピボット軸の周囲にブラケットをピボットすることによって同時に調整され得、それによって剃られるべき外形における比較的大きな変動の場合に比較的大きな調整が可能である。同時に、カッターユニットの向きは、個別に調整され得、ユーザの皮膚の形状においてより局所的で比較的小さな変動に適合するようにされる。そのようにして、カッターユニットは、剃られるべき表面との優れた接触にとどまり得、従って密接したひげ剃りを可能とする。当然のことながら、カッターユニットがかかる適合された向きを想定する場合、その回転軸は既に、ピボット軸が延在する平面又はブラケットのピボット軸に対して正確に垂直には延在し得ない。このような理由により、主請求項において、ピボット軸は、前出の回転軸に対して「実質的に」垂直に延在するとされており、「実質的に」という語は、調整されたカッターユニットの向きを有する上述された状況を有する、ことを意味する。
【００１０】
他の望ましい実施例では、ひげそり器ヘッド部又はその一部は、筐体に対して着脱可能にヒンジ留めされ得、ひげそり器ヘッド部が反転して開かれる（ｆｌｉｐｐｅｄ  ｏｐｅｎ）ことを可能にし、また、カッターユニットを洗浄し得る。更には、毛は、ひげそり器ヘッド部の下方の筐体において位置決めされる毛収集チャンバから除去され得る。
【００１１】
この追加的なヒンジに応じるよう、ひげそり器ヘッド部は、ブラケットと筐体との間に延在する、担体板（ｃａｒｒｉｅｒ  ｐｌａｔｅ）を備えられ得る。当該担体板は、筐体に対して着脱可能に接続され得、その場合は、ブラケットは担体板に対してピボット式に接続され得る。かかる構造を有して、ブラケットと担体板との間のヒンジは、比較的単純な設計であるままにされ得、両構成部品とも（担体板、ブラケット）、単一のヒンジ線を介して前述された近接する部分に対して接続される必要があるのみであり、従って複雑なヒンジ構造に対する必要性を未然に防ぐ。更には、かかる構造を有して、ピボット軸は、前述された利点（正確な外形追随に対するユーザへの優れた直接的フィードバック）を有し、ひげそり表面の下方に近接する、その有益な位置を保持し得る。当然のことながら、他の一実施例では、ブラケットは、担体板に対して着脱可能に接続され得、担体板は、筐体に対してピボット式に接続され得る。
【００１２】
望ましくは、ヒンジは、ブラケットのピボット軸が使用中にひげそり器ヘッド部のひげそり方向に対して実質的に垂直に延在するよう、位置付けられる。このようにして、ピボット軸の周囲におけるブラケットのピボット動作は、ユーザの手首をひねる運動と置き換えられ得る。故に、優れた外形追随性能は、ユーザが手首を曲げる必要なく、達成され得る。ブラケットのピボット軸が確実にユーザの手首のピボット運動に対して実質的に平行に十分延在するよう、筐体の人間工学に基づく設計は、筐体が所定の通りユーザによってグリップされるようなものとなり得る。
【００１３】
更には、回転カッターユニットを駆動する駆動手段は、カッターユニットを有するブラケットがピボットされる際に静止したままである筐体の一部において、収容され得る。このようにして、かかる駆動手段は、静止状態を保持し得、複雑なサスペンションに対する必要性を除去する。更に、ピボット運動に関わる構成要素及びマスの数は、最低限に抑えられ、ひげを剃られるべき表面に沿ったひげそり器ヘッド部の案内及び操作を更に促進する。
【００１４】
適切な伝達手段は、駆動手段とカッターユニットとの間に与えられ得、駆動手段に対するカッターユニットの向きの変更を可能とする。かかる駆動手段の１つの可能な実現に関する詳細の説明に対して、本出願人の国際特許出願ＷＯ０３／０１１５３７が参照される。
【００１５】
本発明に従ったひげそり器の更なる有利な実施例は、従属請求項において記載される。
【発明を実施するための最良の形態】
【００１６】
本発明を説明するよう、その典型的な一実施例は、添付の図面を参照して以下に説明される。
【００１７】
本明細書中、同一又は対応する部分は、同一又は対応する参照符号を有する。
【００１８】
図１Ａ，Ｂ中に示されるひげそり器１は、筐体２及びひげそり器ヘッド部３を有する。ひげそり器ヘッド部は、所定の実施例中、正三角形の頂点において配置される、３つの回転カッターユニット３を備えられる。当然のことながら、他の実施例では、本発明に従ったひげそり器１は、異なる構成において配置され得る、より多い又はより少ない回転カッターユニット４を有し得る。
【００１９】
各カッターユニット４は、使用中にユーザの皮膚に接触するようにされる上方表面Ｓを有するキャップ形状の外側カッター部材１２を有し、剃られる毛をとらえる毛入口開口（図示せず）を与えられる。各カッターユニット４は更に、回転軸Ｒの周囲において、外側カッター部材１２の下方側部にそって回転されるよう配置される、内側カッター部材（図示せず）を有し、毛入口開口に入る毛を切断するようにする。内側カッター部材を回転させる駆動手段は、電源及び適切な伝達手段とともに、筐体２において収容され得る。かかる構成部品はまた、ひげそり器ヘッド部３へと少なくとも部分的に突出し得る。
【００２０】
図２中で最もよく見られる通り、本発明に従ったひげそり器ヘッド部３は、回転カッターユニット４が取り付けられるブラケット６、及びひげそり器ヘッド部３を筐体２に対して接続させる担体板８を有する。ブラケット６は、ヒンジ５を介して担体板８に対してピボット式に接続され、ブラケット６がピボット軸Ｃの周囲において担体板８に対して回転し得るようにする（図１Ｂ参照）。このピボット軸Ｃは、ひげそり表面Ｓの下方で比較的短い距離Ｘにおいて、カッターユニット４の回転軸Ｒに対して実質的に垂直に延在する（図２参照）。
【００２１】
ピボット軸Ｃは更に、ひげそりユニット４によって形成される、正三角形の一側に対して実質的に平行に延在する。ピボット軸Ｃのかかる向きにより、該軸Ｃの周囲におけるブラケット６の回転時に、例えば鼻と口との間である小さく正確なひげそり行為等に対して、ピボット軸Ｃの一側において延在するひげそり行為に関わる１つのひげそりユニット４を有するか、あるいは、例えば場合によっては直線に沿ったより大きな部分を剃るよう、ピボット軸Ｃの他側におけるひげそり行為に関わる２つのひげそりユニット４を有するか、のいずれかが可能である。
【００２２】
更に図２中から分かる通り、ピボット軸Ｃと前出の正三角形の側部との間の距離Ｂは、所定の実施例においては、ピボット軸Ｃから三角形の対応する頂点までの距離Ａより小さい。ピボット軸Ｃのかかる非対称の場所は、ユーザによってひげそり器ヘッド部上にかけられるひげそり圧力が、カッターユニット４にわたって、特にはその外側カッター部材１２にわたって均一に分配されるようにし得る。これは、場合によっては、例えば、毛入口開口の非対称的なパターンを特徴とすること等によって、外側カッター部材１２が非対称的な設計である際に、有利であり得る。その場合、外側カッター部材１２の半分は、放射線状のスリットを備えられ得、他方の半分は、円形のホール等を備えられ得る。当然のことながら、他の実施例では、距離Ａ，Ｂは、異なって寸法付けられ得るか、あるいは寸法において同等にされ得る。
【００２３】
望ましくは、筐体２は、使用中にユーザによって特定の方途においてグリップされるよう設計される。更には、ピボット軸Ｃは望ましくは、前出の望まれる方途においてグリップされる際に、ピボット軸Ｃがユーザのグリップする親指と対向する指との間に延在する線と実質的に平行に延在するよう、筐体２に対して向きを定められる。このようにして、ピボット軸Ｃは、ユーザの手首のピボット軸に対して実質的に平行に延在する。その結果として、使用中、カッターユニット４を有するブラケット６の向きは、ユーザの手首のピボット運動の代わりに、ピボット軸Ｃの周囲における回転によって調整され得、ひげそり器１の人間工学上の快適性を強化し得る。
【００２４】
図２中に示される通り、バイアス手段１０は、担体板８とブラケット６との間においてピボットされ得、担体板８に対して所望の中立位置へとブラケット６を促すようにする。この中立位置は例えば、図２中に示される通り、担体板８及びブラケット６が互いに対して略平行に延在する位置であり得る。あるいは、かかる中立位置は、図３Ａ及び３Ｂにおいて示される通り、担体板８及びブラケット６が一定の角度α，βを有する位置であり得る。バイアス手段１０は更に、ブラケット６の回転に対して一定の抵抗を与えるよう、またかかる回転動作を潤滑にするよう、減衰手段として作動し得る。バイアス手段１０は、例えば、担体板８の周辺端部とブラケット６との間における有益な場所において位置付けられる一連のストリップ、又は板８及びブラケット６を取り囲む連続する帯を有し得る。該ストリップ又は帯は、例えば天然又は合成ゴム、プラスチックである弾力性のある弾性材料を有して作られる。当然のことながら、他の実施例は可能であり、バイアス手段１０は、例えば金属又はプラスチックを有して作られるスプリング要素を有し得る。
【００２５】
望ましい一実施例では、カッターユニット４は、例えば図１Ｂ中に示される通り３つの取付け板１４を用いて、ブラケット６において調整可能に取り付けられ得る。かかる取付け板１４は、ブラケット６においてピボット式にサスペンドされ得、従って個別のカッターユニット４は、内側方向に押され得るか回転され得、上方表面の相互の向きを適合させる。結果として、カッターユニット４の上方表面によって形成される、ひげそり器ヘッド部３のひげそり表面Ｓは、実質的にユーザの皮膚の外形に対応する構成を取り得る。カッターユニット４の取付け原理に関するより詳細の説明に対し、本出願人の欧州特許出願ＥＰ０  ７１９  ２０３が参照される。
【００２６】
更に望ましい一実施例では、筐体２は、使用中に切断された短い毛を収集する、ひげそり器ヘッド部３のすぐ下方に位置付けられる、毛収集チャンバ（図示せず）を収容し得る。このチャンバ及び／又はカッターユニット４を洗浄するよう、ひげそり器ヘッド部３は、図１Ａ及び２においてよく見られる通り、所定の実施例では担体板８と筐体２との間に取り付けられる第２のヒンジ７を介して、筐体２に対して着脱可能に接続される。他の一実施例では、第２のヒンジ７は、担体板８とブラケット６（図示せず）との間に位置決めされ得る。かかる場合、第１のヒンジ５及びバイアス手段１０は、（必ずしもではないが）担体板８と筐体２との間の場所にシフトされ得る。当然のことながら、ひげそり器ヘッド部３はまた、筐体２から完全に着脱可能であるようにされ得る。
【００２７】
図３Ａ及びＢは、本発明に従ったひげそり器ヘッド部３の２つの極度の位置（ｅｘｔｒｅｍｅ  ｐｏｓｉｔｉｏｎ）を示す。ブラケット６は、ピボット軸Ｃの周囲において夫々時計回り、反時計回りにピボットされ、したがって、ブラケット６は担体板８に対して夫々ピボット角度α、βを有するようにされる。そのようにして、カッターユニット４のひげそり表面Ｓの向きは、ユーザが手又は手首を不自然な位置に曲げることなく、ユーザの皮膚の外形に対して調整され得る。かかる図から分かる通り、ピボット運動は、ひげそり器ヘッド部３の一側においてバイアス手段１０が押され、対向する側部においては引き延ばされるようにし、バイアス手段１０がブラケット６上の反力を与えるようにされる。該反力は、図２中に示される通り、ブラケット６を中立位置（前述された通り、必ずしもピボットアングルα，βがゼロである位置である必要はない）へと戻すよう促す傾向がある。更には、図３Ａ，Ｂから、ブラケット６の最大ピボット角度α、βは、異なる方向におけるピボット運動に対して同一である必要はない、ことが分かり得る。例えば、所定の例では、角度αは、角度βより明らかに大きく、当然のことながら中心を外れて位置決めされたピボット軸Ｃの直接的な結果である。
【００２８】
ブロック又はラッチ手段は、例えば図２又は図３Ａ，３Ｂ中に示される位置のうちの１つである望ましい位置においてブラケット６をロックするよう与えられ得る。
【００２９】
本発明は、明細書及び図面中に提示された典型的な実施例に対していかようにも制限されない。本明細書中に図示及び記載される実施例の（部分の）全ての組合せは、本明細書内に組み込まれるよう明らかに理解され、本発明の範囲内であることを明らかに理解される。更に、多くの変形は、請求項によって概説される通り、本発明の範囲内で可能である。
【００３０】
ひげそり器が反転されて開かれ得る実施例においては、ブラケットの動作状態という表現は、ひげそり器ヘッド部の閉じられた状態を示す、ことが留意される。しかしながら、本発明は、ひげそり器ヘッド部が反転されて開かれ得ず、ブラケットが常に動作状態にある実施例も対象とする。
【図面の簡単な説明】
【００３１】
【図１Ａ】本発明に従ったひげそり器の側面図である。
【図１Ｂ】本発明に従ったひげそり器の斜視図である。
【図２】図１Ａ中のひげそり器ヘッド部をより詳細に図示する。
【図３Ａ】傾けられた位置における図２中のひげそり器ヘッド部を図示する。
【図３Ｂ】傾けられた位置における図２中のひげそり器ヘッド部を図示する。
【図１Ａ】
2008521472.tif 000003
【図１Ｂ】
2008521472.tif 000004
【図２】
2008521472.tif 000005
【図３Ａ】
2008521472.tif 000006
【図３Ｂ】
2008521472.tif 000007
【国際調査報告】
2008521472.tif 000008
2008521472.tif 000009
2008521472.tif 000010